(57)【要約】  携帯テレビサービスプロバイダ（１３２）によって放送される携帯テレビ番組の宛先を変更するための携帯移動通信装置（１１０）が、携帯テレビ装置（２５０）と、携帯テレビサービスプロバイダ（１３２）と通信可能な携帯テレビのリダイレクトアプリケーション（２２２）を実行するプロセッサ（２２０）と、携帯テレビ装置（２５０）および携帯テレビのリダイレクトアプリケーション（２２２）を制御するためのユーザインターフェース（２１０）とを含み、ユーザインターフェース（２１０）によって受信されかつ携帯テレビサービスプロバイダ（１３２）に送信された入力に応じて、携帯テレビジョン放送番組を外部装置に同時にリダイレクトできる。外部装置は、インターネット（１４０）を介して、携帯テレビサービスプロバイダ（１３２）につながれかつ携帯テレビサービスプロバイダ（１３２）と通信可能なホームメディアサーバ（１６０）またはコンピュータ（１５０）を含むことができる。【選択図】図１
2009512338.tif 000002
【特許請求の範囲】
【請求項１】
携帯テレビサービスプロバイダ１３２によって放送される携帯テレビ番組の宛先を変更するための携帯移動通信装置１１０であって、
携帯テレビ装置２５０と、
前記携帯テレビサービスプロバイダ１３２と通信可能な携帯テレビのリダイレクトアプリケーション２２２を実行するプロセッサ２２０と、
前記携帯テレビ装置２５０および前記携帯テレビのリダイレクトアプリケーション２２２を制御するためのユーザインターフェース２１０と
を含み、
前記ユーザインターフェース２１０によって受信されかつ携帯テレビサービスプロバイダ１３２に送信された入力に応じて、携帯テレビジョン放送番組を外部装置に同時にリダイレクトできる、携帯移動通信装置１１０。
【請求項２】
前記外部装置が、前記インターネット１４０を介して、前記携帯テレビサービスプロバイダ１３２につながれかつ前記携帯テレビサービスプロバイダ１３２と通信可能なホームメディアサーバ１６０を含む、請求項１に記載の携帯移動通信装置１１０。
【請求項３】
前記外部装置が、前記インターネット１４０を介して、前記携帯テレビサービスプロバイダ１３２につながれかつ前記携帯テレビサービスプロバイダ１３２と通信可能なコンピュータ装置１５０を含む、請求項１に記載の携帯移動通信装置１１０。
【請求項４】
携帯移動通信装置１１０において、携帯テレビサービスプロバイダ１３２によって前記携帯移動通信装置１１０へ放送される携帯テレビ番組の宛先を変更する方法であって、
前記携帯移動通信装置のユーザインターフェースから入力を受信するステップであって、前記入力が、放送予定の番組チャンネルガイドからの放送番組の選択のためのものであるステップ３３０、
前記携帯移動通信装置のディスプレイを介して、前記選択された放送番組のための１つ以上の宛先の入力を要求するステップ３４０、
前記携帯移動通信装置のユーザインターフェースから入力を受信するステップであって、前記入力が、前記選択された放送番組のための１つ以上の宛先の確認のためのものであるステップ３５０、および
前記選択された放送番組を前記携帯テレビサービスプロバイダから前記選択された１つ以上の宛先へ同時にリダイレクトさせるステップ３６０
を含む方法。
【請求項５】
前記選択された放送番組を前記携帯テレビサービスプロバイダから前記選択された１つ以上の宛先へ同時にリダイレクトさせるステップが、
前記選択された放送番組のための１つ以上の宛先の確認のための前記受信した入力を処理し、かつ前記選択された放送番組を前記携帯テレビサービスプロバイダから前記選択された１つ以上の宛先へ同時にリダイレクトする命令を有する制御信号を前記携帯テレビサービスプロバイダに無線送信するステップを含む、請求項４に記載の方法。
【請求項６】
宛先が、前記インターネット１４０を介して前記携帯テレビサービスプロバイダ１３２につながれたホームメディアサーバ１６０を含む、請求項５に記載の方法。
【請求項７】
宛先が、前記インターネット１４０を介して前記携帯テレビサービスプロバイダ１３２につながれたコンピュータ１５０を含む、請求項５に記載の方法。
【請求項８】
前記携帯テレビサービスプロバイダから１つ以上の宛先への前記選択された放送番組のリダイレクトを、前記携帯移動通信装置のユーザインターフェースから入力を受信した場合に終了でき、前記携帯テレビサービスプロバイダから前記携帯移動通信装置への現在の放送を終了させるための前記入力４２０が、
前記携帯移動通信装置のディスプレイを介して、前記携帯テレビサービスプロバイダから１つ以上の宛先への前記選択された放送番組のリダイレクトを終了するかどうかの入力を要求するステップ４３０、
前記携帯テレビサービスプロバイダから１つ以上の宛先への前記選択された放送番組のリダイレクトを終了するかどうかの前記入力要求に応じた入力を受信するステップ４４０、および
前記携帯テレビサービスプロバイダへの制御信号の無線送信を介して、前記携帯テレビサービスプロバイダから前記選択された１つ以上の宛先への前記選択された放送番組のリダイレクトを終了させるステップ４６０
を含む、請求項５に記載の方法。
【発明の詳細な説明】
【技術分野】
【０００１】
発明の背景
本発明は、携帯移動通信装置およびシステム、特に、移動体装置からのライブのテレビジョン放送信号の配信を制御できる携帯移動通信装置、システムおよび方法に関する。
【背景技術】
【０００２】
携帯電話などの携帯移動通信装置は、より複雑になってきており、多くの新しい特徴や機能を含む。そのような特徴の１つは、デジタル・ビデオ・ブロードキャスト・ハンドヘルド（ｄｉｇｉｔａｌ  ｖｉｄｅｏ  ｂｒｏａｄｃａｓｔ−ｈａｎｄｈｅｌｄ）（ＤＶＢ−Ｈ）、デジタル・メディア・ブロードキャスト（ｄｉｇｉｔａｌ  ｍｅｄｉａ  ｂｒｏａｄｃａｓｔ）（ＤＭＢ）、統合地上デジタル放送サービス（ｉｎｔｅｇｒａｔｅｄ  ｓｅｒｖｉｃｅｓ  ｄｉｇｉｔａｌ  ｂｒｏａｄｃａｓｔ−ｔｅｒｒｅｓｔｒｉａｌ）（ＩＳＤＢ−Ｔ）、モバイル・ブロードキャスト・マルチキャスト・サービス（ｍｏｂｉｌｅ  ｂｒｏａｄｃａｓｔ  ｍｕｌｔｉ−ｃａｓｔ  ｓｅｒｖｉｃｅ）（ＭＢＭＳ）、または同類の技術などの、移動体用放送テレビジョン信号を受信する機能を有することや携帯テレビなどである。携帯電話に内蔵される場合には、上述の技術は全て、移動無線送受信機が存在する携帯移動通信装置を使用して受信できるＭＢＭＳを除いて、別個の携帯テレビチューナーを用いる。
【０００３】
モバイルユーザにとって、そのような放送を受信することの利便性は高い。残念ながら、モバイルユーザの視聴体験は、移動機器自体による、特に移動体装置の画面サイズおよび解像度による制約がある。
【０００４】
モバイルユーザが、現在放送されているテレビの配信内容に非常に興味がある場合に、ユーザの現在位置が理由でユーザの移動体装置でしか視聴できない状況がある。例えば、ユーザは、ライブのテレビジョン放送を楽しむための空き時間があるにもかかわらず、自宅にいないか、あるいは、普通のテレビを利用できない場合がある。そのような状況において、ユーザは、ユーザの移動体装置を使用して、ライブの放送番組を選択および視聴できる。これらの多くの場合において、ユーザは番組の全てを見るだけの十分な時間がないであろう。あるいは、番組がユーザにとって特に興味のあるものであれば、ユーザは後で、標準的なテレビまたはノートパソコンなどの高解像度の大きな画面で楽しめればよいのにと望む。
【発明の開示】
【０００５】
現在、上述したようなユーザのジレンマに対処したものはない。ユーザが、後で視聴するために、携帯映像放送を発信源からユーザの移動体装置とホームメディアサーバなどの代替的な装置との双方へ同時に向けて送出することができる機構が必要とされている。
【０００６】
発明の簡単な概要
本発明の実施形態によって、携帯テレビサービスプロバイダによって放送される携帯テレビ番組の宛先を変更するための携帯移動通信装置が、携帯テレビ装置と、携帯テレビサービスプロバイダと通信可能な携帯テレビのリダイレクトアプリケーションを実行するプロセッサと、携帯テレビ装置および携帯テレビのリダイレクトアプリケーションを制御するためのユーザインターフェースとを含み、ユーザインターフェースによって受信されかつ携帯テレビサービスプロバイダに送信された入力に応じて、携帯テレビジョン放送番組を外部装置に同時にリダイレクトできることを説明する。外部装置は、インターネットを介して、携帯テレビサービスプロバイダにつながれかつ携帯テレビサービスプロバイダと通信可能なホームメディアサーバまたはコンピュータを含むことができる。
【０００７】
本発明の別の実施形態によって、携帯テレビサービスプロバイダによって携帯移動通信装置へ放送される携帯テレビ番組の宛先を変更する方法を説明する。この方法は、携帯移動通信装置のユーザインターフェースから入力を受信するステップを含み、この入力は、放送予定の番組チャンネルガイドからの放送番組の選択のためのものである。携帯移動通信装置のディスプレイを介して、選択された放送番組のための１つ以上の宛先の入力要求が表示される。次に、携帯移動通信装置のユーザインターフェースから入力を受信し、選択された放送番組のための１つ以上の宛先を確認する。携帯移動通信装置は、携帯テレビサービスプロバイダから同時に、選択された１つ以上の宛先へ、選択された放送番組をリダイレクトさせる。これは、選択された放送番組を携帯テレビサービスプロバイダから、インターネットを介して携帯テレビサービスプロバイダにつながれたホームメディアサーバまたはコンピュータなどの選択された１つ以上の宛先へ同時にリダイレクトする命令を有する制御信号を、携帯テレビサービスプロバイダへ無線送信することによって達成される。
【０００８】
携帯テレビサービスプロバイダから１つ以上の宛先への選択された放送番組のリダイレクトを終了できる。携帯移動通信装置のディスプレイを介して、携帯テレビサービスプロバイダから１つ以上の宛先への選択された放送番組のリダイレクトを終了するかどうかの入力を要求する携帯移動通信装置のユーザインターフェースからの入力要求に応じた入力を受信できる。終了は、携帯テレビサービスプロバイダから選択された１つ以上の宛先への選択された放送番組のリダイレクト終了の命令を有する制御信号を、携帯テレビサービスプロバイダへ無線送信することによって起きる。
【０００９】
発明の詳細な説明
以下の実施形態の詳細な説明は、本発明の特定の実施形態を示す添付の図面を参照する。異なる構成および動作を有する他の実施形態は、本発明の範囲から逸脱しない。
【００１０】
当業者が理解するように、本発明は、方法、システム、またはコンピュータプログラム製品として供し得る。従って、本発明は、全体的にハードウェアの実施形態、全体的にソフトウェアの実施形態（ファームウェア、常駐ソフトウェア、マイクロコードなどを含む）、またはソフトウェアの態様とハードウェアの態様とを組み合わせた実施形態の形態をとってもよく、この形態は全て、全体的に本明細書で「回路」、「モジュール」または「システム」と称され得る。さらに、本発明は、媒体にコンピュータ使用可能プログラムコードが書き込まれた、コンピュータ使用可能記憶媒体のコンピュータプログラム製品の形態をとってもよい。
【００１１】
いかなる好適なコンピュータ可読媒体を使用してもよい。コンピュータ使用可能またはコンピュータ可読媒体は、例えば、電子式、磁気式、光学式、電磁気式、赤外線式、または半導体のシステム、機器、装置、または伝播媒体でもよいがこれに限定されない。コンピュータ可読媒体のより具体的な例（非限定的なリスト）には以下のもの：１つ以上の配線を有する電気的接続、ポータブルコンピュータディスケット、ハードディスク、ランダムアクセスメモリ（ＲＡＭ）、リードオンリーメモリ（ＲＯＭ）、消去可能なプログラムマブルリードオンリーメモリ（ＥＰＲＯＭまたはフラッシュメモリ）、光ファイバー、ポータブルコンパクトディスクリードオンリーメモリ（ＣＤ−ＲＯＭ）、光記憶装置、伝送媒体、例えばインターネットやイントラネットに対応するものなど、または磁気記憶装置を含む。コンピュータ使用可能またはコンピュータ可読媒体は、プログラムがその上にプリントされた紙媒体または別の好適な媒体でもあり得ることに留意されたい。なぜなら、プログラムは、例えば、紙媒体または他の媒体を光走査することによって電子的に取り込まれ、次いで必要であれば好適な方法でコンパイルされ、解釈あるいは処理され、そしてコンピュータメモリに記憶されることができるからである。この明細書の文脈においては、コンピュータ使用可能またはコンピュータ可読媒体は、命令実行システム、機器、または装置によってまたはそれらに関連して使用するためにプログラムを含有、記憶、通信、伝播、または転送できる、いかなる媒体でもよい。
【００１２】
本発明の動作を実行するためのコンピュータプログラムコードは、例えばＪａｖａ（登録商標）、Ｓｍａｌｌｔａｌｋ、Ｃ＋＋などのオブジェクト指向プログラミング言語で記述されてもよい。しかしながら、本発明の動作を実行するためのコンピュータプログラムコードは、「Ｃ」プログラミング言語などの従来の手続き型プログラミング言語、または類似のプログラミング言語で記述されてもよい。プログラムコードは、全体をユーザのコンピュータ上で実行してもよく、一部をユーザのコンピュータ上で実行してもよく、スタンドアロンのソフトウェアパッケージとして実行してもよく、一部をユーザのコンピュータ上でかつ一部を遠隔コンピュータ上で実行してもよく、または全体を遠隔コンピュータまたはサーバ上で実行してもよい。後者の場合は、遠隔コンピュータをローカルエリアネットワーク（ＬＡＮ）または広域ネットワーク（ＷＡＮ）を通してユーザのコンピュータへ接続してもよく、または（例えば、インターネットサービスプロバイダを使用するインターネットを通して）外部コンピュータへの接続がなされてもよい。
【００１３】
本発明を、本発明の実施形態による方法、装置（システム）およびコンピュータプログラム製品のフローチャート図および／またはブロック図を参照して以下に説明する。フローチャート図および／またはブロック図の各ブロック、およびフローチャート図および／またはブロック図のブロックの組み合わせを、コンピュータプログラム命令により実施できることを理解されたい。これらのコンピュータプログラム命令は、汎用コンピュータ、専用コンピュータ、または他のプログラマブルなデータ処理装置のプロセッサに提供されてマシンを作成して、コンピュータまたは他のプログラマブルなデータ処理装置のプロセッサを介して実行する命令が、フローチャートおよび／またはブロック図の１つまたは複数のブロックに明記された機能／動作を実装する手段を作り出すようにしてもよい。
【００１４】
これらのコンピュータプログラム命令はまた、コンピュータまたは他のプログラマブルなデータ処理装置が特定の態様で機能するように指図するコンピュータ可読メモリに記憶されて、コンピュータ可読メモリに記憶された命令が、フローチャートおよび／またはブロック図の１つまたは複数のブロックに明記された機能／動作を実装する命令手段を含む製品を作成するようにしてもよい。
【００１５】
コンピュータプログラム命令をコンピュータまたは他のプログラマブルなデータ処理装置にロードし、コンピュータまたは他のプログラマブルな装置で一連の演算ステップを行うようにして、コンピュータで実施されるプロセスを作製し、コンピュータまたは他のプログラマブルな装置で実行する命令が、フローチャートおよび／またはブロック図の１つまたは複数のブロックに明記された機能／動作を実装するためのステップを提供するようにしてもよい。
【００１６】
図１は、本発明の実施形態による、放送携帯テレビジョン信号の宛先を変更するための例示的なシステムのブロック図である。システム１００は、デジタル・ビデオ・ブロードキャストハンド・ヘルド（ＤＶＢ−Ｈ）、デジタル・メディア・ブロードキャスト（ＤＭＢ）、統合地上デジタル放送サービス（ＩＳＤＢ−Ｔ）、モバイル・ブロードキャスト・マルチキャスト・サービス（ＭＢＭＳ）、または他の類似の技術であってよい。携帯電話に内蔵される場合には、上述の技術は全て、移動無線送受信機が存在する携帯移動通信装置を使用して受信できるＭＢＭＳを除いて、別個の携帯テレビチューナーを用いる。
【００１７】
携帯移動通信装置１１０は、コードレス電話、セルラー電話、携帯情報端末（ＰＤＡ）、コミュニケータ、コンピュータ装置などであってよく、例えばアナログ携帯電話システム（Ａｄｖａｎｃｅｄ  Ｍｏｂｉｌｅ  Ｐｈｏｎｅ  Ｓｅｒｖｉｃｅ）（ＡＭＰＳ）、デジタルアドバンスド携帯電話システム（Ｄｉｇｉｔａｌ  Ａｄｖａｎｃｅｄ  Ｍｏｂｉｌｅ  Ｐｈｏｎｅ  Ｓｅｒｖｉｃｅ）（Ｄ−ＡＭＰＳ）、移動体通信用グローバルシステム（ＧＳＭ）、符号分割多重接続（Ｃｏｄｅ  Ｄｉｖｉｓｉｏｎ  Ｍｕｌｔｉｐｌｅ  Ａｃｃｅｓｓ）（ＣＤＭＡ）などの特定の通信規格のいずれかに特有のものではない。図２に示す携帯移動通信装置１１０の設計は、本発明を説明するためのものであり、本発明をいずれかの特定の設計に限定するものではない。
【００１８】
図２に示す携帯移動通信装置１１０は、通話や他の通信の開始および実行を含めて携帯移動通信装置１１０の動作の制御を容易にするために、オペレータまたはユーザインターフェース２１０を含んでもよい。ユーザインターフェース２１０は、携帯移動通信装置１１０のステータスおよび動作に応じて加入者またはユーザに視覚信号を提供するためのディスプレイ２１２を含んでもよい。ディスプレイ２１２は、カラー画像を提供することができる液晶ディスプレイ（ＬＣＤ）などでもよい。ディスプレイ２１２は、画像、テキスト、数字、記号、グラフィカルユーザインターフェース（ＧＵＩ）などの形態でユーザまたはオペレータに情報を提供してもよい。ディスプレイ２１２はまた、図３の方法３００および図４の方法４００に関して説明した放送信号によって届けられる番組を表示するのに使用されてもよい。
【００１９】
ユーザインターフェース２１２はまた、ジョイスティックなどのポインティングデバイスを含めて、キーパッドおよびファンクションキーまたは機能ボタン２１４を含んでもよい。キーパッド、機能ボタンおよびジョイスティック２１４によって、ユーザは携帯移動通信装置１１０に、電話番号をダイヤルするための命令、通話を開始および終了するための命令、例えば携帯テレビプロバイダへのアクセス、インターネット、電子メール、テキストメッセージの送受信などの他の通信を確立するための命令を通信できる。キーパッド、機能ボタンおよびジョイスティック２１４はまた、携帯移動通信装置１１０の他の動作を制御するのに使用されてもよい。キーパッド、機能ボタンおよびジョイスティック２１４はまた、触覚入力を受信するように適合されたタッチセンサーディスプレイに実装されてもよい。
【００２０】
ディスプレイ２１２、キーパッド、および機能ボタン２１４をメインプロセッサおよび制御ロジック部２２０に結合してもよい。プロセッサおよび制御ロジック部２２０は、マイクロプロセッサなどであってよい。プロセッサおよびロジック部２２０は、放送信号を代替宛先にリダイレクトするための機能２２２を含んでもよい。図３の方法３００および図４の方法４００において携帯移動通信装置１１０に関して説明した機能および動作を、放送信号をリダイレクトするための機能２２２で実現してもよい。放送信号をリダイレクトする機能２２２を、ハードウェア、ファームウェア、ソフトウェア（データ構造）またはこれらの組み合わせで実現してもよい。プロセッサおよびロジック部２２０はまた、他のデータ構造、ソフトウェアプログラム、コンピュータのアプリケーションなどを含んで、制御信号を符号化および復号し、本明細書に記載されるように通信手順および他の機能を遂行してもよい。
【００２１】
ユーザインターフェース２１０は、マイクロフォンおよびスピーカー２１６も含んでもよい。マイクロフォン２１６は、ユーザからまたは別の音源から音声信号または音響信号を受信し得る。マイクロフォン２１６は、音声信号または音響信号を電気信号へ変換し得る。マイクロフォン２１６をプロセッサおよびロジック部２２０に接続してもよい。ここでプロセッサおよびロジック部２２０は、電気信号をベースバンド通信信号へ変換し得る。プロセッサおよび制御ロジック部２２０を、プロセッサおよび制御ロジック部２２０からのベースバンド信号を高周波（ＲＦ）信号へ変換し得る移動無線送受信機２３０に接続してもよい。移動無線送受信機２３０をアンテナ装置２４０に接続して、移動無線アクセスネットワーク（ｍｏｂｉｌｅ  ｒａｄｉｏ  ａｃｃｅｓｓ  ｎｅｔｗｏｒｋ）（ＭＲＡＮ）１２０などの通信媒体またはシステムへＲＦ信号を送信してもよい。移動無線送受信機２３０はまた、ＭＢＭＳ規格による携帯テレビジョン放送を受信できる。この場合、ＭＲＡＮ１２０は携帯テレビサービスプロバイダの機能を果たす。
【００２２】
アンテナ装置２４０は、無線でＲＦ信号を受信して、このＲＦ信号を無線受信機２３０に転送し得る。無線受信機２３０は、ＲＦ信号をベースバンド信号へ変換し得る。ベースバンド信号を、プロセッサおよび制御ロジック部２２０に適用してもよい。プロセッサおよび制御ロジック部２２０は、ベースバンド信号を電気信号へ変換し得る。プロセッサおよび制御部２２０は、電気信号をスピーカー２１６に送信し得る。スピーカー２１６は電気信号を、ユーザが理解できる音声信号へ変換し得る。
【００２３】
携帯移動通信装置１１０はまた、携帯テレビ装置２５０を含んでもよい。携帯テレビ装置２５０はＤＶＢ−Ｈタイプの装置などであってもよい。携帯テレビ装置２５０は、携帯移動通信装置１１０の一部として一体的に形成されてもよく、携帯移動通信装置１１０に接続され、携帯移動通信装置と関連して動作し得る別個のユニットでもよい。携帯テレビ装置２５０はアンテナ装置２５２を含んで、携帯テレビジョン放送ネットワーク、放送無線アクセスネットワーク（ｂｒｏａｄｃａｓｔ  ｒａｄｉｏ  ａｃｃｅｓｓ  ｎｅｔｗｏｒｋ）（Ｂ−ＲＡＮ）１３０などから番組の放送信号を受信し得る。アンテナ装置２５２には受信機２５４が結合されて、放送信号を受信する。信号処理部２５６が受信機２５４から放送信号を受信して、その信号を、携帯移動通信装置１１０のディスプレイ２１２に表示するためのフォーマットに変換し得る。あるいは、信号処理部２５６が受信機２３０からの放送信号を受信して、その信号を、携帯移動通信装置１１０のディスプレイ２１２に表示するためのフォーマットに変換し得る。
【００２４】
Ｂ−ＲＡＮ１３０は、携帯テレビジョン放送信号またはＤＶＢ−Ｈ用放送信号を発信して、携帯移動通信装置１１０および携帯テレビ装置２５０などの通信装置または携帯テレビ装置に放送してもよい。Ｂ−ＲＡＮ１３０は、放送信号を送信するために送信機を含んでもよい。
【００２５】
Ｂ−ＲＡＮ１３０は、携帯テレビサービスプロバイダ１３２に接続されてもよい。携帯テレビサービスプロバイダ１３２は、通信装置１１０または携帯テレビ装置２５０へのＢ−ＲＡＮ１３０を介した放送用の番組を発信してもよい。携帯テレビサービスプロバイダ１３２は、放送アプリケーションサーバ１３４を含んでもよい。放送アプリケーションサーバ１３４は、放送信号をリダイレクトするためのアプリケーション１３６を含んでもよい。図３の方法３００および図４の方法４００に関して説明する機能および動作の少なくとも一部は、放送アプリケーションサーバ１３４および放送信号をリダイレクトするためのアプリケーション１３６で実現されてもよい。リダイレクトするアプリケーション１３６を、ハードウェア、ファームウェア、ソフトウェア（データ構造）またはこれらの組み合わせで実現してもよい。
【００２６】
Ｂ−ＲＡＮ１３０を、インターネット１４０、またはインターネットプロトコル（ＩＰ）を利用し得る他のプライベートネットワークなどに接続してもよい。Ｂ−ＲＡＮ１３０および携帯テレビサービスプロバイダ１３２は、信号またはメッセージを送受信して、インターネット１４０を介して放送信号のリダイレクトを制御する。記録した番組の再生を制御するメッセージおよび信号はまた、図３の方法３００および図４の方法４００に関して説明するものと同じように、インターネット１４０を介して送受信されてもよい。
【００２７】
本発明の別の実施形態においては、図３の方法３００および図４の方法４００に関して説明したように、ノートパソコン１５０などの第三者記録装置またはホームメディアサーバ１６０などの第三者記録再生アプリケーションサーバを、リダイレクトされた放送信号を受信して、リダイレクトされた放送信号によって届けられる番組を記録するためのオプションとし得る。第三者装置１５０、１６０をインターネット１４０に接続して、リダイレクトされた放送番組を受信してもよい。その結果、後日、ユーザは第三者装置１５０、１６０を利用して、記録した番組を再生できる。ノートパソコン１５０（または他の同様の装置）の場合には、ユーザはリダイレクトされた放送に、コンピュータおよびそれにホストされる好適なアプリケーションを介して直接アクセスできる。ホームメディアサーバ１６０（または他の同様の装置）の場合には、ユーザはリダイレクトされた放送に、ホームメディアサーバ１６０に接続されたテレビ１７０（またはテレビのモニタ）を介してアクセスできる。ホームメディアサーバ１６０とテレビ１７０との組み合わせは、リダイレクトされた放送された番組を検索、操作および視聴するための好適なアプリケーションを含む。
【００２８】
第三者装置１５０、１６０を、リダイレクトされた番組のための宛先として使用することは、一般に、携帯テレビサービスプロバイダ１３２とその選択された第三者装置１５０、１６０との間のインターネット１４０への接続、好ましくはブロードバンド接続を介して遂行される。ユーザは、ＭＲＡＮ１２０を通して携帯テレビサービスプロバイダ１３２と無線通信できる携帯移動通信装置の機能を使用して、ユーザの携帯移動通信装置１１０から番組の宛先を制御できる。携帯移動通信装置１１０で実行されているリダイレクトアプリケーションは、選択された番組の優先的宛先を指定する制御信号を携帯テレビサービスプロバイダ１３２に送信することができる。１つ以上の選択された優先的宛先が第三者装置１５０、１６０である場合には、携帯テレビサービスプロバイダ１３２は、それ自体のリダイレクトアプリケーション１３６によって、ビデオストリームを、インターネット１４０を介して同時に向けて送出する。
【００２９】
図３は、本発明の実施形態による、放送携帯テレビジョン信号の宛先を変更するための方法のフローチャートである。方法１００に示す例示的な動作および機能は、携帯移動通信装置１１０によって、または部分的に通信装置、通信システムまたはネットワーク、携帯テレビサービスプロバイダ１３２などによっておよび部分的に携帯移動通信装置１１０またはその任意の組み合わせによって行われてもよい。
【００３０】
ブロック３１０では、ユーザは、携帯テレビの携帯移動通信装置１１０に常駐しているまたは付いているテレビ視聴アプリケーションを起動する。ブロック３２０では、ユーザは、携帯移動通信装置１１０によって受信可能なチャンネルで利用できる、現在および今後の番組を示す番組ガイドチャンネルにアクセスし視聴できる。受信可能なチャンネルは、おそらく携帯移動通信装置１１０のユーザと携帯テレビサービスプロバイダ１３２との間の加入契約によるものであろう。ブロック３３０では、ユーザは、携帯移動通信装置１１０のキーパッド、機能ボタン、および／またはジョイスティック２１４を使用して、ユーザが興味のある番組を見つけて選択するまで番組チャンネルガイドを進む。ブロック３４０では、リダイレクトアプリケーション２２２がユーザに、携帯移動通信装置のディスプレイ２１２を介して、選択された番組のための１つ以上の宛先の入力を促す。ブロック３５０では、次にユーザ／視聴者は１つ以上の宛先のオプションを選択する。デフォルトオプションは携帯移動通信装置１１０である。ユーザが、選択された番組をノートパソコン１５０またはホームメディアサーバ１６０などの別の装置へ同時にリダイレクトしたい場合には、ユーザはそれらのオプションも選択できる。
【００３１】
ブロック３６０では、リダイレクトアプリケーション２２２はユーザの選択を処理して、放送された番組を所望の宛先へ向けて送出する。これは、選択された放送番組を携帯テレビサービスプロバイダから選択された宛先へ同時にリダイレクトする命令を有する制御信号を携帯テレビサービスプロバイダに無線送信することによって遂行される。
【００３２】
視聴者はまた、番組の初めだけでなく、番組の途中で放送のリダイレクトを開始できる３７０。この場合、視聴者は既に番組を見始めているので、視聴者は、早い時点でリダイレクトしないことを選ぶ。ある時点で、視聴者は、放送を代替宛先に同時にリダイレクトすることを決める。ブロック３８０では、視聴者は、ユーザインターフェースを介して、リダイレクトアプリケーションを起動し、現在の番組を１つ以上の代替宛先にリダイレクトするように要求する。次に番組はブロック３６０に示すようにそれに応じてルートされる。
【００３３】
図４は、本発明の実施形態による、放送携帯テレビジョン信号の宛先を変更するための方法をさらに説明するフローチャートである。詳細には、図４は、ユーザが、現在ユーザの携帯移動通信装置１１０で放送番組を視聴している一方で、放送番組を別の装置にリダイレクトもしているが、何らかの理由で視聴を中断しなければならない状況に対処している。ブロック４１０では、携帯移動通信装置１１０は、選択された放送番組を表示している。ブロック４２０では、ユーザが、選択された放送番組の視聴を途中で終了する選択をする。
【００３４】
この番組は同時に第三者装置１５０、１６０にリダイレクトされているので、ブロック４３０では、ユーザは、番組を他の宛先へリダイレクトし続ける必要があるかどうかの入力を要求され得る。その代替方法は、ユーザへの入力要求なしに、自動的に番組のリダイレクトを継続することである。このオプションはユーザ／視聴者が設定できる。
【００３５】
ブロック４４０では、ユーザは、番組のリダイレクトを継続するか、あるいは番組のリダイレクトを終了するか選択する。ユーザが番組のリダイレクト継続を選択すると、携帯テレビサービスプロバイダ１３２は、放送番組の選択された宛先へのリダイレクトのタスクを完了する。ユーザが番組のリダイレクト終了を選択すると、ブロック４６０で、携帯テレビサービスプロバイダ１３２は、放送番組の選択された宛先へのリダイレクトのタスクを終了する。
【００３６】
携帯テレビサービスプロバイダ１３２は、ユーザ／携帯テレビの加入者に請求する料金の発生および勘定に対する責任がある。料金は、データスループット、宛先数、番組毎宛先毎の均一料金、または任意の他の合意に基づくシステムに基づくものであり得る。
【００３７】
本発明に関連する入力要求はいずれも、双方向音声機能、携帯移動通信装置などのディスプレイに表示されるグラフィカルユーザインターフェース（ＧＵＩ）を介して表示し、応答してもよい。
【００３８】
図面のフローチャート図およびブロック図は、本発明の様々な実施形態によるシステム、方法およびコンピュータプログラム製品の可能な実装例のアーキテクチャ、機能性、および動作を示す。この点で、フローチャート図またはブロック図の各ブロックは、１つまたは複数の特定の論理機能を実施するための１つ以上の実行可能命令を含むコードのモジュール、セグメント、または部分を表してもよい。代替的な実装例の一部では、ブロックに示した機能は、図面に示した順序に関係なしに起こり得ることに留意されたい。実際、関係する機能性に応じて、例えば、連続して示す２つのブロックは実質的に同時に実行されてもよく、ブロックは逆の順序で実行される場合もある。ブロック図および／またはフローチャート図の各ブロック、およびブロック図および／またはフローチャート図のブロックの組み合わせは、特定の機能または動作を遂行する専用ハードウェアベースのシステム、または専用ハードウェアとコンピュータ命令との組み合わせによって実施され得ることにも留意されたい。
【００３９】
本明細書で使用される用語は、特定の実施形態のみを説明するためのものであり、本発明を限定するものではない。本明細書で使用するように、単数形「ａ」、「ａｎ」および「ｔｈｅ」は、文脈において明白に示さない限り複数形も含むことを意図する。さらに、本明細書で使用される場合、用語「含む（ｃｏｍｐｒｉｓｅｓ）」および／または「含む（ｃｏｍｐｒｉｓｉｎｇ）」は、上述の特徴、整数、工程、動作、要素、および／または構成部品の存在を明確にしているが、１つ以上の他の特徴、整数、工程、動作、要素、構成部品、および／またはその群の存在または追加を除外するものではないことを理解されたい。
【００４０】
本明細書では特定の実施形態を図示し説明したが、当業者は、同じ目的を達成するように計算された構成はいずれも、図示の特定の実施形態の代用となり得ること、および本発明は他の環境においては他の適用を有することを理解されたい。本出願は、本発明のいずれの改作例または変形例も網羅するものである。特許請求の範囲は、本明細書に記載した特定の実施形態に本発明の範囲を限定するものではない。
【図面の簡単な説明】
【００４１】
【図１】本発明の実施形態による、放送携帯テレビジョン信号の宛先を変更するための例示的なシステムのブロック図である。
【図２】本発明の実施形態による、放送携帯テレビジョン信号の宛先を変更するための図１のシステムで使用するための例示的な携帯移動通信装置のブロック図である。
【図３】本発明の実施形態による、放送携帯テレビジョン信号の宛先を変更するための方法のフローチャートである。
【図４】本発明の実施形態による、放送携帯テレビジョン信号の宛先を変更するための方法をさらに説明するフローチャートである。
【図１】
2009512338.tif 000003
【図２】
2009512338.tif 000004
【図３】
2009512338.tif 000005
【図４】
2009512338.tif 000006
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
携帯テレビサービスプロバイダ１３２によって放送される携帯テレビ番組の宛先を変更するための携帯移動通信装置１１０であって、
携帯テレビ装置２５０と、
前記携帯テレビサービスプロバイダ１３２と通信可能な携帯テレビのリダイレクトアプリケーション２２２を実行するプロセッサ２２０と、
前記携帯テレビ装置２５０および前記携帯テレビのリダイレクトアプリケーション２２２を制御するためのユーザインターフェース２１０と
を含み、
前記ユーザインターフェース２１０によって受信されかつ携帯テレビサービスプロバイダ１３２に送信された入力に応じて、携帯テレビジョン放送番組を前記テレビサービスプロバイダから外部装置に同時にリダイレクトできる、携帯移動通信装置１１０。
【請求項２】
前記外部装置が、前記インターネット１４０を介して、前記携帯テレビサービスプロバイダ１３２につながれかつ前記携帯テレビサービスプロバイダ１３２と通信可能なホームメディアサーバ１６０を含む、請求項１に記載の携帯移動通信装置１１０。
【請求項３】
前記外部装置が、前記インターネット１４０を介して、前記携帯テレビサービスプロバイダ１３２につながれかつ前記携帯テレビサービスプロバイダ１３２と通信可能なコンピュータ装置１５０を含む、請求項１に記載の携帯移動通信装置１１０。
【請求項４】
携帯移動通信装置１１０において、携帯テレビサービスプロバイダ１３２によって前記携帯移動通信装置１１０へ放送される携帯テレビ番組の宛先を変更する方法であって、
前記携帯移動通信装置のユーザインターフェースから入力を受信するステップであって、前記入力が、放送予定の番組チャンネルガイドからの放送番組の選択のためのものであるステップ３３０、
前記携帯移動通信装置のディスプレイを介して、前記選択された放送番組のための１つ以上の宛先の入力を要求するステップ３４０、
前記携帯移動通信装置のユーザインターフェースから入力を受信するステップであって、前記入力が、前記選択された放送番組のための１つ以上の宛先の確認のためのものであり、前記入力が、前記携帯移動通信装置から前記テレビサービスプロバイダに送信されるステップ３５０、および
前記入力に応じて、前記選択された放送番組を前記携帯テレビサービスプロバイダから前記選択された１つ以上の宛先へ同時にリダイレクトするステップ３６０
を含む方法。
【請求項５】
前記選択された放送番組を前記携帯テレビサービスプロバイダから前記選択された１つ以上の宛先へ同時にリダイレクトさせるステップが、
前記選択された放送番組のための１つ以上の宛先の確認のための前記受信した入力を処理し、かつ前記選択された放送番組を前記携帯テレビサービスプロバイダから前記選択された１つ以上の宛先へ同時にリダイレクトする命令を有する制御信号を前記携帯テレビサービスプロバイダに無線送信するステップを含む、請求項４に記載の方法。
【請求項６】
宛先が、前記インターネット１４０を介して前記携帯テレビサービスプロバイダ１３２につながれたホームメディアサーバ１６０を含む、請求項５に記載の方法。
【請求項７】
宛先が、前記インターネット１４０を介して前記携帯テレビサービスプロバイダ１３２につながれたコンピュータ１５０を含む、請求項５に記載の方法。
【請求項８】
前記携帯テレビサービスプロバイダから１つ以上の宛先への前記選択された放送番組のリダイレクトを、前記携帯移動通信装置のユーザインターフェースから入力を受信した場合に終了でき、ここで、前記携帯テレビサービスプロバイダから前記携帯移動通信装置への現在の放送を終了させるための前記入力４２０が、
前記携帯移動通信装置のディスプレイを介して、前記携帯テレビサービスプロバイダから１つ以上の宛先への前記選択された放送番組のリダイレクトを終了するかどうかの入力を要求するステップ４３０、
前記携帯テレビサービスプロバイダから１つ以上の宛先への前記選択された放送番組のリダイレクトを終了するかどうかの前記入力要求に応じた入力を受信するステップ４４０、および
前記携帯テレビサービスプロバイダへの制御信号の無線送信を介して、前記携帯テレビサービスプロバイダから前記選択された１つ以上の宛先への前記選択された放送番組のリダイレクトを終了させるステップ４６０
を含む、請求項５に記載の方法。
【国際調査報告】
2009512338.tif 000007
2009512338.tif 000008
2009512338.tif 000009